(57)【特許請求の範囲】
【請求項１】
ユーザ機器がワイヤレス通信のためのデュアルキャリアアップリンク送信を制御する方法であって、
アップリンク送信のための専用物理制御チャネルの第1の無線周波数(RF)キャリアと第2のRFキャリアとの間の電力不均衡を決定するステップと、
前記電力不均衡が電力不均衡しきい値より大きいかどうかを決定するステップであって、前記電力不均衡が前記電力不均衡しきい値より大きいかどうかを決定するステップが、前記電力不均衡が最大電力不均衡しきい値より大きいかどうかを決定するステップを含む、ステップと、
前記電力不均衡が前記電力不均衡しきい値より大きい場合、前記第1のRFキャリアまたは前記第2のRFキャリアのうちの1つのRFキャリア上のデータ送信をブロックするステップと、
前記電力不均衡が前記最大電力不均衡しきい値以下である場合には、
前記電力不均衡が最小電力不均衡しきい値より大きいかどうか、および
アップリンクブロックエラーレート(BLER)がBLERしきい値よりも大きいかどうか
を決定するステップと、
前記電力不均衡が前記最大電力不均衡しきい値以下であり、また前記最小電力不均衡しきい値より大きい場合、および前記BLERが前記BLERしきい値より大きい場合、前記第1のRFキャリアまたは前記第2のRFキャリアのうちの1つのRFキャリア上のデータ送信をブロックするステップと
を備える、方法。
【請求項２】
データ送信をブロックするステップが、
前記電力不均衡がしきい値範囲内にあるという条件で、より高い送信電力を有するRFキャリア上のデータ送信をブロックするステップを備える、請求項1に記載の方法。
【請求項３】
データ送信をブロックするステップが、
前記電力不均衡が前記最小電力不均衡しきい値を超えるという条件で、厳しいBLERまたは残余BLERを有するRFキャリア上のデータ送信をブロックするステップを備え、厳しいBLERが最大連続ブロックエラー数を超えることによって定義され、残余BLERが成功しない最大再送信試行回数を超えることによって定義される、請求項1に記載の方法。
【請求項４】
前記電力不均衡が前記最小電力不均衡しきい値未満になるという条件で、ブロックされたRFキャリア上のデータ送信をブロック解除するステップをさらに備える、請求項1に記載の方法。
【請求項５】
ブロックされていないRFキャリアの最大スループットを低減された限界に制限するステップをさらに備える、請求項1に記載の方法。
【請求項６】
ユーザ機器がワイヤレス通信のためのデュアルキャリアアップリンク送信を制御する方法であって、
アップリンク送信のための専用物理制御チャネルの第1の無線周波数(RF)キャリアと第2のRFキャリアとの間の決定された電力不均衡に応答して、前記第1のRFキャリアまたは前記第2のRFキャリアのうちの1つのRFキャリア上のデータ送信をブロックするステップと、
前記電力不均衡が最大電力不均衡しきい値より大きいという条件で、ブロック解除値を最小電力不均衡しきい値に設定するステップと、
前記電力不均衡が最大電力不均衡しきい値以下であるが、最小電力不均衡しきい値より大きく、検出されたアップリンクブロックエラーレート(BLER)がBLERしきい値より大きいという条件で、前記ブロック解除値を前記決定された電力不均衡に設定するステップと、
前記電力不均衡が前記最小電力不均衡しきい値未満であるという第1の条件、または前記電力不均衡が前記ブロック解除値から固定マージン値を引いた値未満であるという第2の条件で、前記第1のRFキャリアまたは前記第2のRFキャリアのうちの1つのRFキャリア上のブロックされたデータ送信をブロック解除するステップと
を備える、方法。
【請求項７】
前記BLERが前記BLERしきい値よりも大きいままであるという条件で、ブロックされていないキャリア上の最大スループットの低減された限界を低減するステップをさらに備える、請求項6に記載の方法。
【請求項８】
ワイヤレス通信のためのデュアルキャリアアップリンク送信を制御するためのユーザ機器(UE)であって、
複数のRFキャリアの各々の現在の送信電力設定の送信機構成を含むトランシーバと、
前記トランシーバに結合されたモデムプロセッサであって、
前記送信機構成に基づいて、アップリンク送信のための専用物理制御チャネルの第1の無線周波数(RF)キャリアと第2のRFキャリアとの間の電力不均衡を決定し、前記電力不均衡が電力不均衡しきい値より大きいかどうかを決定するように構成された電力不均衡構成要素と、
前記電力不均衡が前記電力不均衡しきい値より大きい場合、前記第1のRFキャリアまたは前記第2のRFキャリアのうちの1つのRFキャリア上のデータ送信をブロックするように構成されたキャリアブロッキング構成要素と
を含む、モデムプロセッサと
を備え、
前記モデムプロセッサが、
ブロックエラーレート(BLER)を検出するように構成されたBLER検出構成要素をさらに含み、
前記電力不均衡が電力不均衡しきい値より大きいかどうかを決定することが、前記電力不均衡が最大電力不均衡しきい値より大きいかどうかを決定することを含み、前記電力不均衡構成要素が、
前記電力不均衡が前記最大電力不均衡しきい値以下である場合には、
前記電力不均衡が最小電力不均衡しきい値より大きいかどうか、および
アップリンクブロックエラーレート(BLER)がBLERしきい値よりも大きいかどうか
を決定するように構成され、
前記キャリアブロッキング構成要素が、前記電力不均衡が前記最大電力不均衡しきい値以下であり、また前記最小電力不均衡しきい値より大きい場合、および前記BLERが前記BLERしきい値より大きい場合、前記第1のRFキャリアまたは前記第2のRFキャリアのうちの1つのRFキャリア上のデータ送信をブロックするようにさらに構成される、ユーザ機器。
【請求項９】
前記キャリアブロッキング構成要素が、前記電力不均衡がしきい値範囲内にあるという条件で、より高い送信電力を有するRFキャリア上のデータ送信をブロックするようにさらに構成される、請求項8に記載のUE。
【請求項１０】
前記キャリアブロッキング構成要素が、前記電力不均衡が前記最小電力不均衡しきい値を超えるという条件で、厳しいBLERまたは残余BLERを有するRFキャリア上のデータ送信をブロックするようにさらに構成され、厳しいBLERが最大連続ブロックエラー数を超えることによって定義され、残余BLERが成功しない最大再送信試行回数を超えることによって定義される、請求項8に記載のUE。
【請求項１１】
前記モデムプロセッサが、ブロックされていないRFキャリアの最大スループットを低減された限界に制限するように構成されたスループット設定構成要素をさらに含む、請求項8に記載のUE。
【請求項１２】
前記キャリアブロッキング構成要素が、前記電力不均衡が前記最小電力不均衡しきい値未満になるという条件で、ブロックされたRFキャリア上のデータ送信をブロック解除するようにさらに構成される、請求項8に記載のUE。
【請求項１３】
ワイヤレス通信のためのデュアルキャリアアップリンク送信を制御するためのユーザ機器(UE)であって、
複数のRFキャリアの各々の現在の送信電力設定の送信機構成を含むトランシーバと、
前記トランシーバに結合されたモデムプロセッサであって、
前記送信機構成に基づいて、アップリンク送信のための専用物理制御チャネルの第1の無線周波数(RF)キャリアと第2のRFキャリアとの間の決定された電力不均衡に応答して、前記第1のRFキャリアまたは前記第2のRFキャリアのうちの1つのRFキャリア上のデータ送信をブロックし、
前記電力不均衡が最大電力不均衡しきい値より大きいという条件で、ブロック解除値を最小電力不均衡しきい値に設定し、
前記電力不均衡が最大電力不均衡しきい値以下であるが、最小電力不均衡しきい値より大きく、検出されたアップリンクブロックエラーレート(BLER)がBLERしきい値より大きいという条件で、前記ブロック解除値を前記決定された電力不均衡に設定し、
前記電力不均衡が前記最小電力不均衡しきい値未満であるという第1の条件、または前記電力不均衡が前記ブロック解除値から固定マージン値を引いた値未満であるという第2の条件で、前記第1のRFキャリアまたは前記第2のRFキャリアのうちの前記1つのRFキャリア上のデータ送信をブロック解除する
ように構成されたキャリアブロッキング構成要素を含む、モデムプロセッサと
を備える、ユーザ機器。
【請求項１４】
前記BLERが前記BLERしきい値よりも大きいままであるという条件で、ブロックされていないRFキャリア上の最大スループットの低減された限界を低減するように構成されたスループット設定構成要素をさらに備える、請求項13に記載のUE。
【請求項１５】
ワイヤレス通信のためのデュアルキャリアアップリンク送信を制御するためのユーザ機器であって、
アップリンク送信のための専用物理制御チャネルの第1の無線周波数(RF)キャリアと第2のRFキャリアとの間の電力不均衡を決定するための手段と、
前記電力不均衡が電力不均衡しきい値より大きいかどうかを決定するための手段であって、前記電力不均衡が前記電力不均衡しきい値より大きいかどうかを決定するための前記手段が、前記電力不均衡が最大電力不均衡しきい値より大きいかどうかを決定する、手段と、
前記電力不均衡が前記電力不均衡しきい値より大きい場合、前記第1のRFキャリアまたは前記第2のRFキャリアのうちの1つのRFキャリア上のデータ送信をブロックするための手段と、
前記電力不均衡が前記最大電力不均衡しきい値以下である場合には、
前記電力不均衡が最小電力不均衡しきい値より大きいかどうか、および
アップリンクブロックエラーレート(BLER)がBLERしきい値よりも大きいかどうか
を決定するための手段と
を備え、
前記第1のRFキャリアまたは前記第2のRFキャリアのうちの1つのRFキャリア上のデータ送信をブロックするための手段が、前記電力不均衡が前記最大電力不均衡しきい値以下であり、また前記最小電力不均衡しきい値より大きい場合、および前記BLERが前記BLERしきい値より大きい場合、データ送信をブロックする、ユーザ機器。
【請求項１６】
データ送信をブロックするための前記手段が、前記電力不均衡がしきい値範囲内にあるという条件で、より高い送信電力を有するRFキャリア上のデータ送信をブロックする、請求項15に記載のUE。
【請求項１７】
データ送信をブロックするための前記手段が、前記電力不均衡が前記最小電力不均衡しきい値を超えるという条件で、厳しいBLERまたは残余BLERを有するRFキャリア上のデータ送信をブロックし、厳しいBLERが最大連続ブロックエラー数を超えることによって定義され、残余BLERが成功しない最大再送信試行回数を超えることによって定義される、請求項15に記載のUE。
【請求項１８】
前記電力不均衡が前記最小電力不均衡しきい値未満になるという条件で、ブロックされたRFキャリア上のデータ送信をブロック解除するための手段をさらに備える、請求項15に記載のUE。
【請求項１９】
ブロックされていないRFキャリアの最大スループットを低減された限界に制限するための手段をさらに備える、請求項15に記載のUE。
【請求項２０】
前記電力不均衡が最大電力不均衡しきい値より大きいという条件で、ブロック解除値を最小電力不均衡しきい値に設定するための手段と、
前記電力不均衡が最大電力不均衡しきい値以下であるが、最小電力不均衡しきい値より大きく、アップリンクBLERがBLERしきい値より大きいという条件で、前記ブロック解除値を前記電力不均衡に設定するための手段と、
前記電力不均衡が前記最小電力不均衡しきい値未満であるという第1の条件、または前記電力不均衡が前記ブロック解除値から固定マージン値を引いた値未満であるという第2の条件で、前記第1のRFキャリアまたは前記第2のRFキャリアのうちの前記1つのRFキャリア上のブロックされたデータ送信をブロック解除するための手段と
をさらに備える、請求項15に記載のUE。
【発明の詳細な説明】
【技術分野】
【０００１】
関連出願の相互参照
本出願は、2014年12月11日に出願された「UPLINK DATA ROUTING DURING MULTIPLE CARRIER POWER IMBALANCE」と題する米国仮出願第62/090,833号、および2015年7月9日に出願された「UPLINK DATA ROUTING DURING MULTIPLE CARRIER POWER IMBALANCE」と題する米国特許出願第14/795,678号の利益を主張し、それらの全体が参照により本明細書に明示的に組み込まれる。
【０００２】
本開示の態様は、一般にワイヤレス通信システムに関し、より詳細には、アップリンクデータルーティングに関する。
【背景技術】
【０００３】
ワイヤレス通信ネットワークは、電話、ビデオ、データ、メッセージング、ブロードキャストなどの様々な通信サービスを提供するために広く展開されている。通常、多元接続ネットワークである、そのようなネットワークは、利用可能なネットワークリソースを共有することによって複数のユーザのための通信をサポートする。そのようなネットワークの一例は、UMTS地上無線アクセスネットワーク(UTRAN)である。UTRANは、第3世代パートナーシッププロジェクト(3GPP)によってサポートされる第3世代(3G)モバイル電話技術である、ユニバーサル移動体通信システム(UMTS)の一部として定義される無線アクセスネットワーク(RAN)である。UMTSは、モバイル通信用グローバルシステム(GSM(登録商標):Global System for Mobile Communications)技術の後継技術であり、広帯域符号分割多元接続(W-CDMA)、時分割符号分割多元接続(TD-CDMA)、および時分割同期符号分割多元接続(TD-SCDMA)などの種々のエアインターフェース標準規格を現在サポートしている。UMTSは、より高いデータ転送速度および容量を、関連するUMTSネットワークに提供する、高速パケットアクセス(HSPA)などの拡張3Gデータ通信プロトコルもサポートする。高速アップリンクパケットアクセス(HSUPA)は、アップリンク送信およびハイブリッド自動再送要求(HARQ)信号のスケジューリングを処理するために、送信時間間隔(TTI)(たとえば、2msまたは10ms)を選択するためのオプションを可能にする拡張専用アップリンクチャネル(E-DCH)、およびメディアアクセス制御(MAC)サブレイヤを提供するHSPAのプロトコルである。
【０００４】
モバイルブロードバンドアクセスの需要が増加し続けるにつれ、研究開発は、モバイルブロードバンドアクセスへの高まる需要を満たすためだけではなく、モバイル通信のユーザエクスペリエンスを推進し向上させるために、UMTS技術を推進し続けている。
【０００５】
現在のHSPAシステムでは、ユーザ機器(UE)は、専用物理制御チャネル(DPCCH)を含み得る複数のキャリアを介してアップリンク物理チャネルを送信し得る。複数のキャリア間に電力不均衡が存在する場合、呼ドロップと深刻なスループットの低下が生じる可能性がある。たとえば、チャネル状態に応じて、キャリアの内部ループ電力制御がeノードBによって独立して制御されることが許されるので、HSUPAにおける各キャリアのDPCCH上により大きい電力差が存在する可能性がある。この電力レベル差は、DPCCH電力不均衡と呼ばれる。DPCCH電力不均衡による呼ドロップの場合、データスループットが最初に低下し、高レイヤ再送信後でさえもクリティカルデータが通過しなかった場合に呼ドロップが発生する。アップリンク低下は、急激かつ深刻なチャネルフェージング、他のUEからの過度の干渉、UEにおける過剰な送信電力によるE-DCH電力圧縮、および低い信号対雑音比によって引き起こされる可能性がある。したがって、複数のキャリアを介してアップリンク物理チャネルを送信することにおける改善が望まれる。
【発明の概要】
【課題を解決するための手段】
【０００６】
以下は、そのような態様の基本的な理解を提供するために、1つまたは複数の態様の簡略化された概要を提示する。この概要は、すべての考えられる態様の広範囲な概観ではなく、すべての態様の重要なまたは決定的な要素を識別することも、すべてもしくは一部の態様の範囲を線引きすることも意図されていない。その唯一の目的は、後に提示されるより詳細な説明の前置きとして、簡略化された形態で1つまたは複数の態様のいくつかの概念を提示することである。
【０００７】
本開示は、ワイヤレス通信において、電力不均衡の条件下で、および任意でブロックエラーレート条件と組み合わせて、複数のキャリアを介してデータルーティングを制御するステップを提供する。ある態様では、本開示は、ユーザ機器がワイヤレス通信のためのデュアルキャリアアップリンク送信を制御する方法であって、アップリンク送信のための専用物理制御チャネルの第1の無線周波数(RF)キャリアと第2のRFキャリアとの間の電力不均衡を決定するステップと、電力不均衡が電力不均衡しきい値より大きいかどうかを決定するステップと、電力不均衡が電力不均衡しきい値より大きい場合、第1のRFキャリアまたは第2のRFキャリアのうちの1つのRFキャリア上のデータ送信をブロックするステップとを備える方法を提供する。
【０００８】
別の態様では、本開示は、ユーザ機器がワイヤレス通信のためのデュアルキャリアアップリンク送信を制御する方法であって、アップリンク送信のための専用物理制御チャネルの第1の無線周波数(RF)キャリアと第2のRFキャリアとの間の決定された電力不均衡に応答して、第1のRFキャリアまたは第2のRFキャリアのうちの1つのRFキャリア上のデータ送信をブロックするステップと、電力不均衡が最大電力不均衡しきい値より大きいという条件で、ブロック解除値を最小電力不均衡しきい値に設定するステップと、電力不均衡が最大電力不均衡しきい値以下であるが、最小電力不均衡しきい値より大きく、検出されたアップリンクブロックエラーレート(BLER)がBLERしきい値より大きいという条件で、ブロック解除値を決定された電力不均衡に設定するステップと、電力不均衡が最小電力不均衡しきい値未満であるという第1の条件、または電力不均衡がブロック解除値から固定マージン値を引いた値未満であるという第2の条件で、第1のRFキャリアまたは第2のRFキャリアのうちの1つのRFキャリア上のブロックされたデータ送信をブロック解除するステップとを備える方法を提供する。
【０００９】
別の態様では、本開示は、ワイヤレス通信のためのデュアルキャリアアップリンク送信を制御するためのユーザ機器(UE)であって、複数のRFキャリアの各々の現在の送信電力設定の送信機構成を含むトランシーバと、送信機構成に基づいて、アップリンク送信のための専用物理制御チャネルの第1の無線周波数(RF)キャリアと第2のRFキャリアとの間の電力不均衡を決定し、電力不均衡が電力不均衡しきい値より大きいかどうかを決定するように構成された電力不均衡構成要素と、電力不均衡が電力不均衡しきい値より大きい場合、第1のRFキャリアまたは第2のRFキャリアのうちの1つのRFキャリア上のデータ送信をブロックするように構成されたキャリアブロッキング構成要素とを含むトランシーバに結合されたモデムプロセッサとを備えるユーザ機器を提供する。
【００１０】
別の態様では、本開示は、ワイヤレス通信のためのデュアルキャリアアップリンク送信を制御するためのUEであって、複数のRFキャリアの各々の現在の送信電力設定の送信機構成を含むトランシーバと、送信機構成に基づいて、アップリンク送信のための専用物理制御チャネルの第1の無線周波数(RF)キャリアと第2のRFキャリアとの間の決定された電力不均衡に応答して、第1のRFキャリアまたは第2のRFキャリアのうちの1つのRFキャリア上のデータ送信をブロックし、電力不均衡が最大電力不均衡しきい値より大きいという条件で、ブロック解除値を最小電力不均衡しきい値に設定し、電力不均衡が最大電力不均衡しきい値以下であるが、最小電力不均衡しきい値より大きく、検出されたアップリンクブロックエラーレート(BLER)がBLERしきい値より大きいという条件で、ブロック解除値を決定された電力不均衡に設定し、電力不均衡が最小電力不均衡しきい値未満であるという第1の条件、または電力不均衡がブロック解除値から固定マージン値を引いた値未満であるという第2の条件で、第1のRFキャリアまたは第2のRFキャリアのうちの1つのRFキャリア上のデータ送信をブロック解除するように構成されたキャリアブロッキング構成要素を含む、トランシーバに結合されたモデムプロセッサとを備えるUEを提供する。
【００１１】
別の態様では、本開示は、ワイヤレス通信のためのデュアルキャリアアップリンク送信を制御するためのUEであって、アップリンク送信のための専用物理制御チャネルの第1の無線周波数(RF)キャリアと第2のRFキャリアとの間の電力不均衡を決定するための手段と、電力不均衡が電力不均衡しきい値より大きいかどうかを決定するための手段と、電力不均衡が電力不均衡しきい値より大きい場合、第1のRFキャリアまたは第2のRFキャリアのうちの1つのRFキャリア上のデータ送信をブロックするための手段とを備えるUEを提供する。
【００１２】
本開示のこれらおよび他の態様は、以下の詳細な説明を検討することにより、より完全に理解されるであろう。
【００１３】
添付の図面は、本開示の様々な態様の説明を補助するために提示され、態様の説明のためのみに提供され、それを限定するためではない。図面は、同様の要素について同様の参照番号を含み、破線を使用して、任意の構成要素または動作を表し得る。
【図面の簡単な説明】
【００１４】
【図１】少なくとも2つのRFアップリンクキャリア間の送信電力不均衡の存在下で、複数のRFアップリンクキャリアへのアップリンクデータルーティングのUE制御された管理のために構成されたユーザ機器(UE)と通信している、基地局などのネットワークエンティティを含む例示的な通信ネットワークを示すブロック図である。
【図２Ａ】少なくとも2つのRFキャリア間のアップリンクデータルーティングの管理のための、図1のユーザ機器によって実装されるしきい値比較の例を示すグラフ図であり、具体的には、キャリア間の電力不均衡が一定の(最小)しきい値未満であるという条件に基づいて、各キャリアへの通常のデータルーティングの例に関連する図である。
【図２Ｂ】少なくとも2つのRFキャリアへのアップリンクデータルーティングの管理のための、図1のユーザ機器によって実装されるしきい値比較の例を示すグラフ図であり、具体的には、キャリア間の電力不均衡が一定の(最大)しきい値より大きいという条件に基づいて、調整されたデータルーティングの例、および/またはキャリアをブロッキングすることに関連する図である。
【図２Ｃ】少なくとも2つのRFキャリアへのアップリンクデータルーティングの管理のための、図1のユーザ機器によって実装される電力不均衡およびブロックエラーレートしきい値比較の例を示すグラフ図であり、具体的には、キャリア間の電力不均衡が一定の(最小および最大の)しきい値間にあり、キャリアのブロックエラーレート(BLER)が一定のしきい値を上回るという条件に基づいて、調整されたデータルーティングの例、および/またはキャリアをブロッキングすることに関連する図である。
【図３Ａ】2つのRFキャリア間の電力不均衡、またはブロックエラーレートと組み合わされた電力不均衡を検出し、通常のデータルーティングまたはアップリンクRFキャリアをブロックすることを維持するための、ワイヤレス通信の例示的な方法を示す流れ図である。
【図３Ｂ】図3Aの方法においてブロックされたキャリアのブロッキングをブロック解除または維持するためのワイヤレス通信の例示的な方法を示す流れ図である。
【発明を実施するための形態】
【００１５】
添付の図面に関連して以下に述べる詳細な説明は、様々な構成の説明として意図されており、本明細書に記載された概念が実施され得る唯一の構成を表すことが意図されるものではない。詳細な説明は、様々な概念の完全な理解を提供するための具体的な詳細を含む。しかしながら、これらの概念がこれらの具体的な詳細なしに実践される場合があることは当業者には明らかであろう。場合によっては、そのような概念を不明瞭にすることを避けるために、よく知られている構造がブロック図形式で示され得る。ある態様では、本明細書で使用される「機能」という用語は、システムを構成する部品の1つであってもよく、ハードウェア、ファームウェア、および/またはソフトウェアであってもよく、他の機能に分割されてもよい。
【００１６】
本開示は、少なくとも2つのRFアップリンクキャリア間の送信電力不均衡の存在下で、複数のRFアップリンクキャリアへのアップリンクデータルーティングのユーザ機器(UE)制御された管理を提供する。デュアルキャリア送信の場合、たとえば、1つの良好なキャリア(たとえば、呼を確立/維持するために十分な品質の無線リンクを有するキャリア)を有するチャンスは、たとえ他のキャリアが悪い状態(たとえば、呼を確立/維持するためにボーダーラインである、または不十分な品質の無線リンクを有するキャリア)であっても、かなり高い。本態様によれば、UEは、1つのキャリア上のデータ送信の失敗につながる状態を検出し、後続の送信のためにより良好なキャリアへのデータルーティングを選択し得る。条件を検出するために使用されるパラメータには、2つ以上のキャリアに対する専用物理制御チャネル(DPCCH)間の電力不均衡と、アップリンク物理層送信のブロックエラーレート(BLER)測定のノードBフィードバックが含まれる。これらのパラメータは、検出をより安全にするためにAND条件で使用され得る。たとえば、一例では、UEは、第1の電力不均衡量がしきい値より大きい場合、特定のキャリアへのデータルーティングを開始し得る(または、1つのキャリアへのデータルーティングをブロックする)。さらに、別の例では、UEは、UEが一定のレベルのHSUPA BLERおよび第2の電力不均衡量(たとえば、第1の電力不均衡量とは異なる)を検出した場合、特定のキャリアへのデータルーティングを開始し得る(または、1つのキャリアへのデータルーティングをブロックする)。UEは、改善された電力不均衡をUEが検出した場合、特定のキャリアへのデータルーティングを解除する(または、1つのキャリアのブロッキングを解除する)ことができる。
【００１７】
図1を参照すると、ある態様では、ワイヤレス通信システム10は、少なくとも1つのネットワークエンティティ14(たとえば、基地局またはノードB)の通信カバレージにある少なくとも1つのUE12を含む。ある態様では、ネットワークエンティティ14は、UMTSネットワーク内のノードBなどの基地局であり得る。UE12は、ネットワークエンティティ14および無線ネットワークコントローラ(RNC)16を介してネットワーク18と通信し得る。いくつかの態様では、UE12を含む複数のUEは、ネットワークエンティティ14を含む1つまたは複数のネットワークエンティティとの通信カバレージ内にあり得る。一例では、UE12は、ネットワークエンティティ14との間でワイヤレス通信20を送信および/または受信することができる。
【００１８】
いくつかの態様では、UE12はまた、当業者によって(ならびに本明細書において互換的に)、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアントと呼ばれるか、または他の何らかの適切な用語で呼ばれることもある。UE12は、セルラー電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)ステーション、全地球測位システム(GPS)デバイス、マルチメディアデバイス、ビデオデバイス、デジタルオーディオプレーヤ(たとえば、MP3プレーヤー)、カメラ、ゲーム機、ウェアラブルコンピューティングデバイス(たとえばスマートウォッチ、スマートグラス、健康またはフィットネストラッカーなど)、電化製品、センサ、車両通信システム、医療デバイス、自動販売機、モノのインターネット(Internet-of-Things)のためのデバイス、または他の何らかの同様の機能デバイスであってもよい。さらに、ネットワークエンティティ14は、マクロセル、ピコセル、フェムトセル、中継器、ノードB、モバイルノードB、UE(たとえば、UE12とピアツーピアまたはアドホックモードにおいて通信する)、または実質的に、UE12においてワイヤレスネットワークアクセスを提供するためにUE12と通信し得る任意のタイプの構成要素であってもよい。
【００１９】
本態様によれば、UE12は、バス32を介してメモリ35およびトランシーバ60に結合された1つまたは複数のプロセッサ30を含み得る。1つまたは複数のプロセッサ30は、本明細書において説明されるように、アップリンクキャリアデータルーティングに関連する様々な機能を実行し得る。たとえば、いくつかの態様では、本明細書において説明されるようなアップリンクキャリアデータルーティングに関連する様々な機能は、単一のプロセッサによって実行されてもよく、他の態様では、機能のうちの異なる機能は、2つ以上の異なるプロセッサの組合せによって実行されてもよい。たとえば、ある態様では、1つまたは複数のプロセッサ30は、モデムプロセッサ、またはベースバンドプロセッサ、またはデジタル信号プロセッサ、または送信プロセッサ、またはトランシーバプロセッサの任意の1つあるいは任意の組合せを含み得る。具体的には、1つまたは複数のプロセッサ30は、少なくとも2つのアップリンクRFキャリア22、24間の少なくとも一定の量の送信電力不均衡の存在に基づいて、少なくとも2つのアップリンクRFキャリア22、24のうちの1つのキャリア上のデータ送信をブロックおよびブロック解除するために、キャリアデータルーティング構成要素40を実行し得る。任意の態様では、少なくとも2つのアップリンクRFキャリア22、24間の送信電力不均衡の存在に基づくことに加えて、キャリアデータルーティング構成要素40は、少なくとも2つのアップリンクRFキャリア22、24のうちの1つのキャリア上の一定の量のBLERの存在にさらに基づいて、少なくとも2つのアップリンクRFキャリア22、24のうちの1つのキャリア上のデータ送信をブロックおよびブロック解除するように構成され得る。さらなる任意の態様では、一定の量の送信電力不均衡、および任意で、一定の量のBLERの存在下で、キャリアデータルーティング構成要素40はまた、少なくとも2つのアップリンクRFキャリア22、24のうちの1つまたは複数の残りのブロックされていないものにおいて許可されたスループットを低減するように構成され得る。ある態様では、キャリアデータルーティング構成要素40は、少なくとも2つのアップリンクRFキャリア間の送信電力不均衡の存在下で、アップリンク制御チャネルのキャリアデータルーティングを制御するために、プロセッサによって実行可能なハードウェアおよび/またはソフトウェアコードを含み得る。ある態様では、本明細書で使用される「機能」という用語は、システムを構成する部品の1つであってもよく、ハードウェア、ファームウェア、および/またはソフトウェアであってもよく、他の機能に分割されてもよい。
【００２０】
ある態様では、たとえば、キャリアデータルーティング構成要素40は、1つまたは複数のサブ機能を含む、それと通信する、またはそれを制御するように実装され得る。たとえば、キャリアデータルーティング構成要素40は、電力不均衡を検出するための電力不均衡構成要素42、BLERを検出するためのBLER検出構成要素44、キャリア当たりのスループットの量を制御するためのスループット設定構成要素45、および少なくとも2つのアップリンクRFキャリア22、24の各々を介した送信を制御するためのキャリアブロッキング構成要素46を含むか、制御し得る。キャリアデータルーティング構成要素40の一部として示されているが、本明細書で説明されるサブ機能は、同じプロセッサまたは別のプロセッサ上で独立して実装され得ることを理解されたい。
【００２１】
電力不均衡構成要素42は、少なくとも2つのアップリンクRFキャリア22、24間、たとえば、アップリンク送信における第1のRFキャリアと第2のRFキャリアとの間の電力不均衡を決定するためにプロセッサによって実行可能なハードウェアおよび/またはソフトウェアコードを含み得る。たとえば、電力不均衡構成要素42は、UE12によって少なくとも2つのアップリンクRFキャリア22、24を介して送信されているそれぞれの専用物理制御チャネル(DPCCH)などの制御チャネルを監視し得る。
【００２２】
BLER検出構成要素44は、少なくとも2つのアップリンクRFキャリア22、24を介した送信に関連付けられる1つまたは複数のBLER条件を決定するためにプロセッサによって実行可能なハードウェアおよび/またはソフトウェアコードを含み得る。チャネル状態が悪いため、時間の経過とともにいくつかのBLERパターンが存在する可能性がある。ある態様では、たとえば、BLER検出構成要素44は、最大連続ブロックエラー数を超えることに基づいて厳しいBLER条件を、またはUE12の最大再送信失敗数を超えることに基づいて残余BLER条件を決定し得る。たとえば、これに限定されるものではないが、k個の連続するブロックエラーが検出された場合、厳しいBLER条件が観測され得る。別の例として、これに限定されるものではないが、残余BLER条件は、拡張アップリンクチャネル上のHARQ再送信などの特定のHARQ IDに対するN個の失敗した再送信の検出時に観測され得、Nは許容可能再送信の最大数として定義される。上述のこれらの例示的なBLER条件によれば、厳しいBLER条件は、最終的には残余BLER条件につながる可能性がある。本明細書に提示される態様では、以下に説明するように、厳しいBLER条件または残余BLER条件のいずれかを検出すると、是正措置が実施され得る。
【００２３】
スループット設定構成要素45は、少なくとも2つのアップリンクRFキャリア22、24を介する送信に関連付けられるETFCIコードによって定義される最大スループットの低減された限界（reduced limit)を決定するためにプロセッサによって実行可能なハードウェアおよび/またはソフトウェアコードを含み得る。たとえば、データスループットレートにマッピングされる128個のETFCIインデックスコードが存在し得る。アップリンクチャネルのRFキャリアが過剰なBLERを有することが観測された場合、スループット設定構成要素45は、低下したレベルのスループットを有するスループットに対応するETFCIを定義することによって最大スループットの限界を設定し得る(たとえば、これに限定されないが、最大スループットの30〜80%を含む範囲内の値)。
【００２４】
キャリアブロッキング構成要素46は、電力不均衡のレベルに基づいて、およびいくつかの任意の態様では、任意の観測された厳しいBLERまたは残余BLERにさらに基づいて、少なくとも2つのアップリンクRFキャリア22、24のうちのどのRFキャリアがブロックされるべきかを決定するためにプロセッサによって実行可能なハードウェアおよび/またはソフトウェアコードを含み得る。失敗したRFキャリア(たとえば、ある態様では、最も高い送信電力を有するRFキャリア)をアップリンクデータ送信からブロックすることによって、データ送信を比較的良好なRFキャリアに再ルーティングすることによって、ドロップされた呼が回避され得る。キャリアブロッキング構成要素46は、ブロックされたRFキャリアがブロック解除され、UE12がアップリンク送信を送信するためのサービスに戻すことができるときを決定するために、電力不均衡、および任意でBLERを監視し続けることができる。
【００２５】
さらに、ある態様では、UE12は、BLERレポートを受信するため、または少なくとも2つのアップリンクRFキャリア22、24を送信するためなど、信号および通信を受信および送信するためのトランシーバ60を含み得る。たとえば、ある態様では、トランシーバ60は、たとえば、1つまたは複数の電力増幅器63、1つまたは複数の帯域特定フィルタ62、および1つまたは複数のアンテナ64によって定義されるRFフロントエンド61と通信しているか、それと接続している場合がある。ダウンリンク信号が、たとえばBLER報告などのUE12によって受信されると、アンテナ64は、電波を電気信号に変換する。アンテナスイッチ65は、信号のための送信経路または受信経路のいずれかを選択するために(たとえば、この例では受信経路を選択するために)選択的に動作し得る二重スイッチであり得る。フィルタ62は、所望の周波数帯域を取得するために、信号に対して周波数フィルタリングを実行する。トランシーバ60は、RFフロントエンド61からの受信信号のダウンコンバートを実行し得、信号を同相成分および直角成分(IおよびQ)に分割し得る。増幅器63は、フィルタ62から最初に受信されたフィルタリングされた信号をブーストするための第1の増幅器と、I成分およびQ成分をブーストするための第2の増幅器とを含み得る。次いで、I成分およびQ成分は、デジタルフォーマットに変換され、トランシーバ60によって復調され得る。トランシーバ60を離れる受信信号のI成分およびQ成分は、少なくとも1つのプロセッサ30によってさらに処理され得るベースバンド信号であり得る。トランシーバ60は、1つまたは複数のプロセッサ30とは別個の構成要素として示されているが、いくつかの実施形態では、トランシーバ60は1つまたは複数のプロセッサ30の一部として含まれ得ることを理解されたい。
【００２６】
トランシーバ60は、無線周波数(RF)受信機を含み得、また、たとえばUE12によって送信されるワイヤレス通信20などの無線送信を受信および復号するように構成されたプロセッサによって実行可能なハードウェアおよび/またはソフトウェアコードを含み得る。たとえば、トランシーバ60は、ネットワークエンティティ14によって送信されたBLERレポートを受信し得る。さらに、たとえば、トランシーバ60は送信機も含み、また少なくとも2つのRFキャリア22、24(たとえば、専用物理制御チャネルの第1のRFキャリアおよび第2のRFキャリア)上でアップリンクデータを送信するためのプロセッサによって実行可能なハードウェアおよび/またはソフトウェアコードを含み得、トランシーバ60は、それぞれの送信電力レベルで少なくとも2つのRFキャリア22、24の各々を送信し得る。場合によっては、少なくとも2つのRFキャリア22、24間のそれぞれの送信電力レベルが異なり得、送信電力不均衡につながる。提示された態様によれば、キャリアデータルーティング構成要素40の実行後、トランシーバ60は、少なくとも2つのRFキャリア22、24のうちの1つなどの、ブロックされていないRFキャリアでアップリンクデータを送信し得る。ある態様では、トランシーバ60は、キャリアデータルーティング構成要素40とは別個のUE12の独立した構成要素であり得る。
【００２７】
図2A〜図2Cを参照すると、限定として解釈されるべきではない例において、本明細書に記載のキャリアデータルーティング構成要素40の態様は、電力しきい値範囲および/またはBLERしきい値に対する比較に従って、UE12のプロセッサの1つまたは組合せによって実行され得る。図2Aは、キャリア間の電力不均衡が一定の(最小)しきい値未満であるという条件に基づいて、通常のデータルーティングの例に関連する。図2Bは、キャリア間の電力不均衡が一定の(最大)しきい値より大きいという条件に基づいて、調整されたデータルーティングの例、および/またはキャリアをブロッキングすることに関連する。図2Cは、キャリア間の電力不均衡が一定の(最小および最大の)しきい値間にあり、キャリアのブロックエラーレート(BLER)が一定のしきい値を上回るという条件に基づいて、調整されたデータルーティングの例、および/またはキャリアをブロッキングすることに関連する。
【００２８】
最初に図2Aを参照すると、グラフ200は、アップリンクRFキャリア22、24などのキャリアC0およびキャリアC1のキャリア当たりの送信電力、ならびにキャリア間の送信電力不均衡202(たとえば、送信電力デルタ)を表し、概略図204は、本明細書において説明されるように、キャリアデータルーティング構成要素40を動作させるUE12による、結果として得られるキャリアデータルーティング212を表す。この例では、UE12は、本明細書では値デルタとも呼ばれる値(C0〜C1)を有する電力不均衡202を有する第1のRFキャリアC0および第2のRFキャリアC1上で送信し、UE12は、値デルタと、最大しきい値(Th_max)208と最小しきい値(Th_min)210との間のしきい値範囲206とを比較し得る。この例では、電力不均衡202はしきい値Th_min 210を超えない値を有し、その結果、概略図204を参照すると、キャリアデータルーティング構成要素40を動作させるUE12は、RFキャリアC0およびC1の各々への通常の(たとえば、それぞれのキャリア上で送信するためにキューに入れられたデータ214がそれぞれのキャリアにルーティングされる)データルーティングを可能にすることによって、キャリアデータルーティング212、たとえば、それぞれの送信データキュー216内のデータ214のルーティングを管理する。
【００２９】
図2Bにおいて、グラフ220は、アップリンクRFキャリア22、24などのキャリアC0およびキャリアC1のキャリア当たりの送信電力、ならびにキャリア間の送信電力不均衡222(たとえば、送信電力デルタ)を表し、概略図224は、本明細書において説明されるように、キャリアデータルーティング構成要素40を動作させるUE12による、結果として得られるキャリアデータルーティング226を表す。この例では、UE12がRFキャリアC0およびC1の両方の上で送信しており、UE12は、続いてしきい値Th_max 208を超える値を有する電力不均衡222を検出する。この比較は、より高い送信電力を有するRFキャリアC0上のアップリンク送信をブロックし、RFキャリアC0上で以前に送信される予定であったデータ214を、代わりにRFキャリアC1、たとえばより低い送信電力を有するキャリア上で送信されるように再ルーティングすることによって、キャリアデータルーティング226を管理するためにキャリアデータルーティング構成要素40を動作させるUE12をトリガする。この再ルーティングの論理的根拠は、RFキャリアC0とC1との間の電力不均衡の重大度がRFキャリアC0上の劣悪なチャネル状態の指標であり、一般に比較的低い送信電力を有するキャリアは良好なチャネル状態を有するという原理に基づく。このように、UE12は、RFキャリアC0から、許容可能なレベルの送信電力(たとえば、最大レベルに近づかない)においてデータ送信をより良好に維持することができると考えられるRFキャリアC1にデータを再ルーティングすることによって反応し得る。
【００３０】
次に図2Cを参照すると、グラフ230は、アップリンクRFキャリア22、24などのキャリアC0およびキャリアC1のキャリア当たりの送信電力、ならびにキャリア間の送信電力不均衡232(たとえば、送信電力デルタ)を表し、グラフ234は、BLERしきい値に対するキャリアC0およびキャリアC1のキャリア当たりのブロックエラーレート(BLER)を表し、概略図236は、本明細書において説明されるように、キャリアデータルーティング構成要素40を動作させるUE12による、結果として得られるキャリアデータルーティング238を表す。この例におけるUE12は、しきい値Th_max208とTh_min210との間のしきい値範囲206内にある電力不均衡232の値を検出する。電力不均衡232は、図2Bの以前の例における電力不均衡ほど深刻ではないので、キャリアデータルーティング構成要素40を動作させるUE12は、RFキャリアC0またはC1上のデータをブロックおよび再ルーティングする前に追加の比較を実行し得る。ここでは、キャリアデータルーティング構成要素40を動作させるUE12は、RFキャリアC0およびC1のBLERとBLERしきい値(ThBLER)240とをさらに比較し、超えている場合、UE12は、次のようにキャリアデータルーティング238の管理に進む。RFキャリアC0のBLERがしきい値ThBLER 240を超えるので、UE12は、RFキャリアC0へのデータルーティングをブロックし、RFキャリアC0から、電力しきい値とBLERしきい値比較との両方によって示されるようなより良好なチャネル状態を有するRFキャリアC1にデータ214を再ルーティングする。
【００３１】
図3Aを参照すると、動作態様において、UE12(図1)などのUEは、送信電力不均衡を有する複数のキャリア上のアップリンクデータ送信の制御のための方法300の一態様を実行し得る。説明の簡略化のために、本方法は一連の動作として示され説明されているが、本方法(および、それに関連するさらなる方法)は動作の順序によって限定されず、いくつかの動作は、1つまたは複数の態様に従って、異なる順序で行なわれてもよく、および/または本明細書に示され記載された他の動作と同時に行なわれてもよいことを理解および諒解されたい。たとえば、方法は、代わりに、状態図などにおいて、一連の相互に関係する状態またはイベントとして表されてもよいことを諒解されたい。さらに、本明細書で説明する1つまたは複数の特徴に従って方法を実装するために、図示したすべての動作が必要とされるとは限らない場合がある。ある態様では、方法300は、本明細書において説明されるように、UE12、および/あるいは、たとえばキャリアデータルーティング構成要素40および/またはそのサブ機能の1つまたは複数を実行するモデムプロセッサなどの1つまたは複数のプロセッサ30によって実装され得る。
【００３２】
ある態様では、ブロック310において、方法300は、2つ以上のRFキャリア上の電力不均衡に関する送信時間間隔(TTI)ごとにアップリンクチャネルを監視するステップを含み得る。たとえば、ある態様では、UE12および/またはキャリアデータルーティング構成要素40ならびに/あるいは電力不均衡構成要素42は、少なくとも2つのRFキャリア22および24における電力不均衡に関する送信時間間隔(TTI)ごとにアップリンクチャネルを監視し得る。別の態様では、UE12および/またはキャリアデータルーティング構成要素40ならびに/あるいは電力不均衡構成要素42は、少なくとも2つのRFキャリア22および24の各々における送信電力設定のために送信機構成66を監視し得る。
【００３３】
第1の態様では、方法300は、アップリンクチャネルにおけるRFキャリア間の決定された電力不均衡が最大しきい値より大きいかどうかを識別するテストを含み、大きい場合、呼ドロップおよび/または深刻なスループットの低下を回避することを試みるために、1つまたは複数の是正処置を実行する。ある態様では、たとえば、UE12および/あるいは1つまたは複数のプロセッサ30は、電力不均衡202とメモリ35に記憶され得るしきい値とを比較することによって、送信機構成66における少なくとも2つのRFキャリア22および24のための送信電力設定間の電力不均衡を検出するために、キャリアデータルーティング構成要素40および/または電力不均衡構成要素42(図1)を実行し得る。
【００３４】
ある態様では、ブロック320において、方法300は、アップリンクチャネルの電力不均衡が、メモリ35に記憶され得る最大しきい値(THRESH_max)より大きいかどうかを決定するステップを含み得る。たとえば、THRESH_maxの値は、約15〜30dB、または、より好ましくは約25dBを含むがこれに限定されない範囲内の値に設定され得る。ある態様では、たとえば、UE12および/またはキャリアデータルーティング構成要素40ならびに/あるいは電力不均衡構成要素42(図1)は、DPCCHなどのアップリンクチャネルの各RFキャリアの送信電力設定を決定し得、少なくとも第1のRFキャリア22と第2のRFキャリア24との間の不均衡を計算し得、不均衡とTHRESH_max値とを比較し得る。
【００３５】
320において、電力不均衡がTHRESH_max値より大きい場合、ある態様では、ブロック370において、方法300は、アップリンクチャネル上でより高い送信電力を有するキャリア上のデータ送信をブロックするステップを含み得る。より高い送信電力を有するRFキャリア上のアップリンクチャネル(たとえば、DPCCH)は、チャネル劣化を補償しており、アップリンク送信がRFキャリア上に維持される場合、ドロップされた呼を引き起こす可能性があると推測され得る。このRFキャリアをブロックすることによって、残りのRFキャリアにデータが再ルーティングされ得、したがってアップリンク送信が改善され得る。ある態様では、UE12および/またはキャリアデータルーティング構成要素40ならびに/あるいはキャリアブロッキング構成要素46(図1)は、問題のあるRFキャリアへのアップリンク送信をブロックし得る。
【００３６】
任意で、ブロック372において、ブロック370の後の追加的救済策として、方法300は、ブロックされていないRFキャリアの最大スループットを制限するステップをさらに含み得る。ブロックされていないRFキャリアの最大スループットは、電力不均衡のための自発的最大ETFCIと呼ばれ得る。ある態様では、そのようなスループット制限は、残りのRFキャリアのエラーレートを改善し得る。ある態様では、UE12および/またはキャリアデータルーティング構成要素40ならびに/あるいはスループット設定構成要素45(図1)は、残りのキャリアにおける最大スループットの低減された限界を設定し得る。たとえば、UE12および/またはキャリアデータルーティング構成要素40ならびに/あるいはスループット設定構成要素45は、ETFCIを、限定されるものではないが最大利用可能スループットの30〜80%を含む範囲内の値にスループットを制限するインデックスのセットに制限し得る。このように、本開示で使用されるように、ブロックされていないRFキャリアの最大スループットを制限するステップは、電力不均衡のための自発的最大ETFCIを設定するステップと呼ばれ得る。
【００３７】
さらなる任意の態様では、ブロック370の後、方法300は、374において、ブロック解除しきい値(PI_BLER)をTHRESH_minに設定するステップをさらに含み得、その値は、後で説明するように、ブロッキングを継続するかどうか、またはブロッキングをオフにするかどうかを決定するために方法305(図3B参照)において使用するためのものである。ある態様では、UE12および/またはキャリアデータルーティング構成要素40ならびに/あるいはキャリアブロッキング構成要素46(図1)は、PI_BLERをTHRESH_minに設定し得る。
【００３８】
第2の態様では、決定された電力不均衡が最大しきい値以下である場合、一定の量のBLERの存在下で、より少ない電力不均衡において呼ドロップまたはスループット低下が依然として経験され得る。このように、方法300は、BLER値がBLERしきい値より大きいかどうかを識別するステップと組み合わせて、決定された電力がより小さい最小しきい値より大きいかどうかを識別するテストをさらに含み得る。この条件が存在する場合、方法300は、呼ドロップおよび/または深刻なスループットの低下を回避することを試みるために、1つまたは複数の是正処置を実行する。
【００３９】
このように、320において、電力不均衡がTHRESH_max値以下である場合、ある態様では、ブロック330において、方法300は、アップリンクチャネルの電力不均衡が最小しきい値(THRESH_min)より大きいかどうかを決定するステップを含み得る。たとえば、ある態様では、THRESH_minの値は、約5〜20dB、または、より好ましくは約15dBを含むがこれに限定されない範囲内の値に設定され得る。ある態様では、たとえば、UE12および/またはキャリアデータルーティング構成要素40ならびに/あるいは電力不均衡構成要素42(図1)は、第1のRFキャリア22と第2のRFキャリア24との間の電力不均衡を決定し、決定された電力不均衡とTHRESH_min値とを比較し得る。
【００４０】
330において、決定された電力不均衡がTHRESH_min値より大きい場合、ある態様では、ブロック340において、方法300は、BLERが厳しいBLERまたは残余BLERに関連付けられるしきい値などのBLERしきい値より大きいかどうかを識別するステップを含み得る。BLER検出構成要素44は、最大連続ブロックエラー数を超えることに基づいて厳しいBLERを、またはUE12の最大再送信失敗数を超えることに基づいて残余BLERを決定し得る。ある態様では、たとえば、UE12および/またはキャリアデータルーティング構成要素40ならびに/あるいはBLER検出構成要素44(図1)は、連続するブロックエラーの数または再送信失敗の数をカウントし、それぞれのカウントされた数とそれぞれのしきい値とを比較することに基づいて、厳しいBLERまたは残余BLERが存在するかどうかを決定し得る。ある態様では、たとえば、受信プロセッサ270および/またはコントローラ/プロセッサ290は、復号された制御情報から再送信失敗を検出し、キャリアデータルーティング構成要素40および/またはBLER検出構成要素44は、失敗した再送信の数をカウントし得る。ブロック330および340は、任意の順序で実行され得る点に留意されたい。
【００４１】
方法300が、(i)アップリンクチャネルの電力不均衡はTHRESH_max以下である(320)、または(ii)アップリンクチャネルの電力不均衡はTHRESH_minより大きい(330)が、厳しいBLERまたは残余BLERは観測されなかった(340)と決定した場合、ある態様では、ブロック350において、通常のTTI処理が継続される(たとえば、方法300はブロック310に戻る)。
【００４２】
方法300が、アップリンクチャネルの電力不均衡がTHRESH_max未満であり、THRESH_minより大きく、BLERがBLERしきい値より大きいと決定した場合、ある態様では、ブロック360において、方法300は、BLERしきい値より大きいBLER値を有するキャリア上でのデータ送信をブロックするステップを含み得る。たとえば、送信プロセッサ280は、媒体アクセス制御(MAC)エンティティがBLERしきい値より大きいBLERを有するキャリア上でのアップリンクデータ送信をスケジューリングすることを禁止するために、キャリアデータルーティング構成要素40および/またはキャリアブロッキング構成要素46を実行し得る。ある態様では、BLERしきい値は、厳しいBLER条件および/またはアップリンクチャネル上の残余BLER条件(たとえば、DPCCH)に対応するように設定され得る。ある態様では、UE12および/またはキャリアデータルーティング構成要素40ならびに/あるいはキャリアブロッキング構成要素46(図1)は、問題のRFキャリア上のアップリンク送信をブロックし得る。
【００４３】
任意で、362において、ブロック360の後の追加的救済策として、方法300は、残りのキャリアのエラーレートを改善するために、ブロックされていないRFキャリアの最大スループットを制限するステップを含み得る。ある態様では、UE12および/またはキャリアデータルーティング構成要素40ならびに/あるいはスループット設定構成要素45(図1)は、残りのキャリアにおける最大スループットの低減された限界を設定し得る。たとえば、ETFCIは、限定されるものではないが最大利用可能スループットの30〜80%を含む範囲内の値にスループットを制限するインデックスのセットに制限され得る。ブロックされていないRFキャリア上のスループットを制限することにより、スループット/アップリンク信号対雑音比(SNR)の管理可能な比率を維持することによって、残りのRFキャリアの失敗が防止され得る。
【００４４】
さらなる任意の態様では、ブロック360の後に、方法300は、364において、後で説明するように、ブロッキングを継続するかどうか、またはブロッキングをオフにするかどうかを決定するために方法305(図3B参照)において使用するために、ブロック解除しきい値PI_BLERを決定された電力不均衡に設定するステップをさらに含み得る。ある態様では、UE12および/またはキャリアデータルーティング構成要素40ならびに/あるいはキャリアブロッキング構成要素46(図1)は、PI_BLERの値を決定された電力不均衡に設定し得る。
【００４５】
任意で、ブロック360(または、任意でブロック362および/または364)あるいはブロック370(または、任意でブロック372および/または374)の後、方法300は、アップリンク送信のためのデータの再ルーティング(またはブロッキング)を継続するか、または再ルーティングをオフにするかを決定するための方法305(図3B)を実行するように進み得る。ある態様では、UE12および/またはキャリアデータルーティング構成要素40は、方法305を実行するように進み得る。
【００４６】
図3Bを参照すると、動作態様において、UE12(図1)などのUEは、少なくとも2つのRFキャリア22、24のうちの1つなどのRFキャリア上でアップリンク送信をブロック解除するための方法305の一態様を実行し得る。ある態様では、方法305は、本明細書において説明されるように、キャリアデータルーティング構成要素40および/またはそのサブ構成要素の1つまたは複数を実行するUE12によって実装され得る。さらに、ある態様では、方法305は、方法300(図3A)を実行した後にUE12によって実行され得る。第1の態様では、方法305は、ブロッキングをオフにし、両方のRFキャリアの使用を開始するために、電力不均衡のみが十分に低減されたかどうかを決定しようと試みる。第2の態様では、電力不均衡がRFキャリアブロッキングをオフにするためにそれ自体で十分に低減されていない場合、方法305は、電力不均衡とBLERレベルの組合せが、ブロッキングをオフにし、両方のRFキャリアの使用を許可するために十分に低減されているかどうかを決定しようと試みる。
【００４７】
ある態様では、ブロック315において、方法305は、2つ以上のRFキャリア上の電力不均衡に関する送信時間間隔(TTI)ごとにブロックされたRFキャリアを有するアップリンクチャネルを監視するステップを含み得る。たとえば、ある態様では、UE12および/またはキャリアデータルーティング構成要素40ならびに/あるいは電力不均衡構成要素42は、少なくとも2つのRFキャリア22、24上の電力不均衡に関する送信時間間隔(TTI)ごとにアップリンクチャネルを監視し得る。
【００４８】
ある態様では、ブロック325において、方法305は、アップリンクチャネルの電力不均衡がTHRESH_min値未満になったかどうかを決定するステップを含み得る。ある態様では、たとえば、UE12および/またはキャリアデータルーティング構成要素40ならびに/あるいは電力不均衡構成要素42(図1)は、DPCCHなどのアップリンクチャネルの第1のRFキャリア22と第2のRFキャリア24との間の電力不均衡を決定し、決定された電力不均衡とTHRESH_min値とを比較し得る。
【００４９】
アップリンクチャネルの電力不均衡がTHRESH_min値以上である場合、ある態様では、ブロック335において、方法305は、アップリンクチャネルの電力不均衡が、ブロック解除しきい値、たとえばPI_BLERから、固定マージン値デルタを引いたもの未満であるかどうかを決定するステップを含み得る。ブロック解除しきい値の値PI_BLERは、方法300(図3A)において上述したように設定される。デルタの値は、RFキャリアのブロッキングおよびブロック解除にヒステリシスを提供するために、たとえば約3〜9dBを含むがこれに限定されない範囲内の値に設定され得る。ある態様では、たとえば、UE12および/またはキャリアデータルーティング構成要素40ならびに/あるいは電力不均衡構成要素42(図1)は、第1のRFキャリア22と第2のRFキャリア24との間の電力不均衡を決定し、上記の比較を実行し得る。
【００５０】
アップリンクチャネルの電力不均衡がブロック解除しきい値PI_BLERからマージン値デルタを引いたもの以上である場合、ある態様では、ブロック345において、方法305は、BLERがBLERしきい値より大きいかどうかを識別するステップを含み得、BLERしきい値は厳しいBLERまたは残余BLERに対応し得る。ある態様では、たとえば、UE12および/またはキャリアデータルーティング構成要素40ならびに/あるいはBLER検出構成要素44(図1)は、厳しいBLERまたは残余BLERが観測されたかどうかを決定し得る。
【００５１】
ある態様では、ブロック355において、方法305は、電力不均衡がTHRESH_minより大きいままであり(ブロック325)、また、電力不均衡がブロック解除しきい値からデルタを引いたものより大きいままであり(ブロック335)、BLERしきい値より大きいBLERが観測されない場合(ブロック345)、ブロックされたRFキャリア上でのアップリンク送信のブロッキングを継続するステップを含み得る。ある態様では、たとえば、UE12および/またはキャリアデータルーティング構成要素40ならびに/あるいはキャリアブロッキング構成要素46(図1)は、RFキャリアのブロッキングを継続し得る。ブロック355に続いて、方法305は、繰り返すためにブロック315に戻る。
【００５２】
代替的に、ブロック365において、ブロックされていないRFキャリアの最大スループットは、電力不均衡がTHRESH_minより大きいままであり(ブロック325)、ブロック解除しきい値からデルタを引いたものより大きいままである(ブロック335)ことと組み合わせて、BLERがBLERしきい値(たとえば、厳しいBLERまたは残余BLER)(ブロック345)より大きいことに応答して残りのキャリアのエラーレートを改善するために、さらに制限され得る。ある態様では、UE12および/またはキャリアデータルーティング構成要素40ならびに/あるいはスループット設定構成要素45(図1)は、残りのキャリアにおける最大スループットの低減された限界を設定し得る。たとえば、この場合、UE12および/またはキャリアデータルーティング構成要素40ならびに/あるいはスループット設定構成要素45は、ETFCI制限を、スループットをより低い値に制限するインデックスのセットにさらに減少させ得る。
【００５３】
さらに、ブロック375において、方法305は、電力不均衡がTHRESH_min値を下回ったか(ブロック325)、ブロック解除しきい値PI_BLERからデルタを引いた値を下回る(ブロック335)という検出に応答して、キャリアブロッキングを解除するステップを含み得る。ある態様では、UE12および/またはキャリアデータルーティング構成要素40ならびに/あるいはキャリアブロッキング構成要素46(図1)は、キャリアブロッキングを解除し得る。
【００５４】
電気通信システムのいくつかの態様が、W-CDMAシステムを参照して提示されている。当業者なら容易に理解するように、本開示の全体にわたって説明した様々な態様は、他の電気通信システム、ネットワークアーキテクチャ、および通信標準に拡張され得る。
【００５５】
例として、様々な態様は、TD-SCDMA、高速ダウンリンクパケットアクセス(HSDPA)、高速アップリンクパケットアクセス(HSUPA)、高速パケットアクセスプラス(HSPA +)、およびTD-CDMAなどの他のUMTSシステムに拡張され得る。様々な態様はまた、ロングタームエボリューション(LTE)(FDD、TDD、または両方のモードにおける)、LTE-Advanced(LTE-A)(FDD、TDD、または両方のモードにおける)、CDMA2000、Evolution-Data Optimized(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)を使用するシステム、および/または他の適切なシステムに拡張され得る。使用される実際の電気通信規格、ネットワークアーキテクチャ、および/または通信規格は、特定の用途およびシステムに課された全体的な設計制約に依存する。
【００５６】
本開示の様々な態様によれば、要素、または要素の任意の部分、あるいは要素の任意の組合せは、1つまたは複数のプロセッサを含む「処理システム」によって実装され得る。プロセッサの例には、マイクロプロセッサ、マイクロコントローラ、デジタル信号プロセッサ(DSP)、フィールドプログラマブルゲートアレイ(FPGA)、プログラマブルロジックデバイス(PLD)、ステートマシン、ゲートロジック、ディスクリートハードウェア回路、および本開示を通じて説明される様々な機能を実行するように構成された他の適切なハードウェアを含む。処理システムの中の1つまたは複数のプロセッサは、ソフトウェアを実行してもよい。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能などを意味するように広く解釈されるべきである。ソフトウェアは、コンピュータ可読媒体上に存在してもよい。コンピュータ可読媒体は、非一時的コンピュータ可読媒体であってもよい。非一時的コンピュータ可読媒体は、例として、磁気ストレージデバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読出し専用メモリ(ROM)、プログラマブルROM(PROM)、消去可能PROM(EPROM)、電気的消去可能PROM(EEPROM)、レジスタ、リムーバブルディスク、およびコンピュータによってアクセスされ、読み取られ得るソフトウェアおよび/または命令を記憶するための任意の他の適切な媒体を含む。コンピュータ可読媒体はまた、例として、搬送波、伝送線、およびコンピュータによってアクセスされ、読み取られ得るソフトウェアおよび/または命令を送信するための任意の他の適切な媒体を含み得る。コンピュータ可読媒体は、処理システム内に存在するか、処理システム外部に存在するか、または処理システムを含む複数のエンティティにわたって分散する場合がある。コンピュータ可読媒体は、コンピュータプログラム製品に組み込まれ得る。例として、コンピュータプログラム製品は、包装材料中にコンピュータ可読媒体を含み得る。当業者であれば、特定の用途およびシステム全体に課せられた全体的な設計制約に応じて、本開示を通して提示される説明された機能をどのように実装するのが最良であるかを認識するであろう。
【００５７】
開示された方法におけるステップの特定の順序または階層は、例示的なプロセスの例示であることを理解されたい。設計嗜好に基づいて、方法におけるステップの特定の順序または階層が再編成され得ることが理解される。添付の方法クレームは、様々なステップの要素をサンプル順に提示しており、具体的に列挙されていない限り、提示される特定の順序または階層に限定されることが意味されるものではない。
【００５８】
前述の説明は、当業者が本明細書に記載の様々な態様を実施することを可能にするために提供される。これらの態様に対する種々の修正が当業者に容易に明らかになり、本明細書において規定される一般原理は他の態様に適用される場合がある。したがって、特許請求の範囲は、本明細書に示される態様に限定されることが意図されるものではなく、特許請求の範囲の用語と一致する全範囲が与えられるべきであり、単数の要素への言及は、特にそのように言及されていない限り、「唯一」ではなく「1つまたは複数」と解釈されるべきである。別段に明記されていない限り、「いくつかの」という用語は1つまたは複数を指している。項目のリストの「少なくとも1つ」を指す語句は、単一のメンバーを含むそれらの項目の任意の組合せを指す。例として、「a、b、またはcのうちの少なくとも1つ」は、a、b、c、aおよびb、aおよびc、bおよびc、ならびにa、b、およびcを包含することが意図される。当業者に知られているかまたは後に知られることになる、本開示を通じて説明される様々な態様の要素に対するすべての構造的および機能的同等物は、参照により本明細書に明示的に組み込まれ、特許請求の範囲によって包含されることが意図される。さらに、本明細書に開示されたものはいずれも、そのような開示が特許請求の範囲に明示的に列挙されているかどうかにかかわらず、公衆に捧げられることが意図されるものではない。請求項の要素は、要素が「〜のための手段」という句を使用して明示的に列挙されていない限り、または、方法クレームの場合、要素が「〜のためのステップ」という句を使用して列挙されていない限り、米国特許法第112条(f)の規定に基づいて解釈されるべきではない。
【符号の説明】
【００５９】
10  ワイヤレス通信システム
12  UE
14  ネットワークエンティティ
16  無線ネットワークコントローラ(RNC)
18  ネットワーク
20  ワイヤレス通信
22  アップリンクRFキャリア
22  第1のRFキャリア
24  アップリンクRFキャリア
24  第2のRFキャリア
30  プロセッサ
32  バス
35  メモリ
40  キャリアデータルーティング構成要素
42  電力不均衡構成要素
44  BLER検出構成要素
45  スループット設定構成要素
46  キャリアブロッキング構成要素
60  トランシーバ
61  RFフロントエンド
62  帯域特定フィルタ
62  フィルタ
63  電力増幅器
63  増幅器
64  アンテナ
65  アンテナスイッチ
66  送信機構成
200  グラフ
202  送信電力不均衡
202  電力不均衡
204  概略図
206  しきい値範囲
208  しきい値Th_max
210  しきい値Th_min
212  キャリアデータルーティング
214  データ
220  グラフ
222  送信電力不均衡
224  概略図
226  キャリアデータルーティング
232  送信電力不均衡
232  電力不均衡
234  グラフ
236  概略図
238  キャリアデータルーティング
240  BLERしきい値(ThBLER)
270  受信プロセッサ
290  コントローラ/プロセッサ
300  方法
305  方法
【図１】
0006621823.tif 000002
【図２Ａ】
0006621823.tif 000003
【図２Ｂ】
0006621823.tif 000004
【図２Ｃ】
0006621823.tif 000005
【図３Ａ】
0006621823.tif 000006
【図３Ｂ】
0006621823.tif 000007